(57)【要約】【解決手段】本発明は低オクタン価ガソリンと高オクタン価ガソリンとを併産する方法に関する。石油又は軽油の精留工程において、蒸留物の抽出点は細かく分けられ、留分の抽出のための温度範囲は狭められている。Ｃ６−Ｃ１２（必要によりＣ５−Ｃ１２に拡大）の範囲で高い含有量の低又は高オクタン価の各成分を別々に抽出する。その後、低オクタン価成分を組み合わせて圧縮点火低オクタン価ガソリンとし、高オクタン価成分を組み合わせて高オクタン価ガソリンとする。残りの留分はそれぞれ補足物質としてオクタン価に基づいて低オクタン価ガソリン又は高オクタン価ガソリン生産物に添加される。低オクタン価ガソリンは圧縮点火ガソリンエンジンに使用され、高オクタン価ガソリンは火花点火ガソリンエンジンに使用される。【選択図】なし【特許請求の範囲】
【請求項１】
原油、改質油、接触（水素化）分解により生じる油、熱分解油又は芳香族ラフィネート油を常圧蒸留又は減圧蒸留する工程において、Ｃ５−Ｃ１２の各成分を別々に抽出し、又は、含有量の順に高い含有量の各成分を別々に抽出し、その後、目的産物のオクタン価及びオクタン指数に基づいて、圧縮点火エンジン又は火花点火エンジンそれぞれの燃料となる、低オクタン価ガソリン又は高オクタン価ガソリンの調製に、前記各成分を使用し、
前記原料から高い含有量の前記成分を固定点で抽出するために、複数の小型蒸留塔を、主要蒸留塔の外部に吊り下げ、前記各小型塔上端の温度を、対応する前記成分の沸点に制御し、前記小型塔中の留分のうち必要があるもの以外を前記主要塔に還流し、主要塔の他の留出口から留出させる、
低オクタン価ガソリンと高オクタン価ガソリンとを併産する方法。
【請求項２】
ｎ−ヘプタン及びイソオクタンの混合留分を蒸留によりまず抽出し、次に、ｎ−ヘプタン及びイソオクタンを、吸着分離法又はこれに代えて共沸蒸留法により相互に分離する、請求項１記載の方法。
【請求項３】
前記低オクタン価ガソリンのオクタン価をさらに減少させるために、長鎖の直鎖アルカン、例えば、Ｃ１３−Ｃ１４の直鎖パラフィンあるいはＣ１３−Ｃ１９の直鎖パラフィン（又は非直鎖アルカン）のうちの任意の成分を、前記低オクタン価ガソリンに添加してもよい、すなわち、ケロシン又は軽油の成分を、前記オクタン価を減少させる添加剤として添加する、請求項１記載の方法。
【請求項４】
異なる留分を採取するために、前記油蒸留塔又は軽油蒸留塔に、１℃（又は２℃もしくは０．５℃）の間隔で留分抽出口を設け、抽出された各留分の軽油組成又はオクタン価を試験（分析）し、前記留分を、そのオクタン価に基づいて、低オクタン価ガソリン生産物又は高オクタン価ガソリン生産物の調製に使用し、第２の分離を、混合組成の留分（例えば、ｎ−ヘプタンとイソオクタンとの混合留分）を分離するのに必要な他の方法により行ってもよく、
小数点以下を含む明確な沸点を有する成分（例えば、１，１−ジメチルシクロヘキサンの沸点は、１１９．５℃であり、ｎ−オクタンの沸点は、１２６．７℃である）については、小数点以下１桁まで計算された温度位置での留分抽出点を、前記蒸留塔に設ける（例えば、留分採取点を、１１９．５℃及び１２６．７℃の温度位置にそれぞれ設ける）、請求項１記載の方法。
【発明の詳細な説明】
【技術分野】
【０００１】
本発明は、石油の精製の技術分野に関する。
【背景技術】
【０００２】
１．エンジンの圧縮比及び熱効率
圧縮比は、ピストンの運動の際に、シリンダ内において得ることができる、ガスの最大容積と最小容積の比率を表す。ピストンがシリンダ内のストロークの１番下に来たとき、シリンダ内のガスは最大の容積をもち、ピストンがシリンダ内のストロークの１番上に来たとき、シリンダ内のガスは最小の容積をもつ。前者はシリンダの全容積とされ、他方、後者はシリンダの燃焼室の容積とされる。圧縮比は、シリンダの全容積を燃焼室の容積で割った値に等しい。圧縮比は、内燃機関の重要な指標であり、圧縮比が上がると、シリンダへの圧力がより大きくなり、温度がより高くなる。
【０００３】
理論的には、圧縮比が上がるほど、エンジンの効率はより高くなる。
【０００４】
ガソリンエンジンの圧縮比は、通常４―６である。乗用車のガソリンエンジンの圧縮比は、より大きい容積／パワーの比を得るために、７−９．５に上がっている。最高仕様の乗用車のガソリンエンジンの圧縮比は、１２．５に達したとされている。高オクタン価（高グレード）ガソリンは、高い圧縮比をもつガソリンエンジンで使用される。そうでないと、エンジン動作の際にシリンダ内で自然発火が生じ、エンジンのノッキングが起こるおそれがある。
【０００５】
ディーゼルエンジンの圧縮比は、通常１５―１８であり、ディーゼルエンジンの熱効率はガソリンエンジンよりも３０％高い。ディーゼルエンジンの排出によってもたらされる温室効果はガソリンエンジンよりも４５％低い。また、ディーゼルエンジンの一酸化炭素及び炭化水素の排出はガソリンエンジンよりも低い。ディーゼルエンジンは圧縮点火を採用する。そのため、ディーゼルエンジンにはノッキングの問題が存在しない。ディーゼルエンジンの圧縮比は、材料の強度の制限により、あまり大きくすることはできない。
【０００６】
２．ガソリンのオクタン価とノッキング
マーケットにおけるレギュラーガソリンのタイプ（リサーチ）には、無鉛ガソリン９０＃、９３＃、９５＃、９７＃及び９８＃が含まれる。ガソリン１００＃は、いくつかの場所に存在すると言われている。いわゆる９０＃、９３＃及び９７＃は、対応するガソリンの“オクタン価”の容量指標であり、それぞれ、高いアンチノック性を示す“イソオクタン”が９０％、９３％及び９７％であり、低いアンチノック性を示す“ｎ―ヘプタン”が１０％、７％及び３％に等しい。したがって、エンジンが必要とするガソリンのオクタン価は、ガソリンエンジンのアンチノック性を示す指標となる。ガソリン９７＃が要求されているところにガソリン９０＃を使用すると、ノッキングが簡単に起こるであろう。
【０００７】
燃料油のアンチノック性を測定する際に通常２つの方法、すなわち、モーターオクタン価及びリサーチオクタン価が採用されている。燃料油のモーターオクタン価が８５のときは、そのリサーチオクタン価は９２となり、モーターオクタン価が９０のときは、そのリサーチオクタン価は９７となる。本開示中におけるオクタン価は全てリサーチオクタン価である。
【０００８】
レギュラータイプのガソリンは、９０より大きいオクタン価をもち、比較的高い着火温度であるため、通常、圧縮点火で着火できない。そのため、最近のガソリンエンジンは、全て火花点火エンジンである。
【０００９】
ガソリンエンジンの熱効率を改良し、ノッキングを避けるため、ガソリンの生産者は、ガソリンのオクタン価を上げるためのあらゆる手段を試みている。そのため、ガソリンの生産はますます複雑になり、コストがかかるようになっている。
【００１０】
３．低オクタン価ガソリン
さらに圧縮比を改良するため、したがって、ガソリンエンジンの効率を改良するため、低オクタン価ガソリン及び圧縮点火低オクタン価ガソリンエンジンの概念が提唱されている。圧縮点火低オクタン価ガソリンエンジンの作動原理はディーゼルエンジンと似ている。低オクタン価ガソリンがシリンダ内で高温かつ高圧の圧縮空気内に噴霧されると、そこで着火及び燃焼が自動的に生じる。圧縮点火低オクタン価ガソリンエンジンは、より高い圧縮比としてもよく、それゆえ、火花点火エンジンよりも、より高い熱効率とより小さい温室効果をもつことができる。
【００１１】
低オクタン価ガソリンは高オクタン価ガソリンと同様に規定される。ガソリン４０＃、３０＃又は２０＃の等級をもつ低オクタン価ガソリンはそれぞれ  高いアンチノック能力を示す“イソオクタン”を４０％、３０％又は２０％、低いアンチノック能力を示す“ｎ―ヘプタン”を６０％、７０％又は８０％含む。低オクタン価ガソリンは、ガソリン４２＃、３３＃、０＃又は−１０＃など、必要とされたように等級付けることができる。
【００１２】
低オクタン価ガソリンは２つの点で特徴づけられる。１つには、現在使用されているガソリンと比較して、この新しい低オクタン価ガソリンは圧縮点火することができる。他方、この新しい低オクタン価ガソリンの留分は現在使用されているガソリンと近似又は類似しており、それは通常Ｃ７−Ｃ１１の範囲にあり、必要とされた場合はＣ６−Ｃ１２又はＣ５−Ｃ１９に拡大されうる。  
【００１３】
本明細書中では、簡単に区別するため、５０よりも低いオクタン価をもつガソリンを低オクタン価ガソリンとし、９０より高いオクタン価をもつガソリン（現在一般に使用されている）を高オクタン価ガソリンとする。
【００１４】
４．低オクタン価ガソリンエンジン
低オクタン価ガソリンエンジンは、ディーゼルエンジンとガソリンエンジンの両方の利点をもつ。特に、圧縮比を１０−１５の範囲内で選択する場合、低オクタン価ガソリンエンジンは、ガソリンエンジンの“小型、微小振動、及び安定動作”の利点をもち、ディーゼルエンジンの“高効率、高パワー及び排出起因の温室効果の少なさ”の利点をもつ。
【００１５】
圧縮点火ガソリンエンジンについては、ガソリンのオクタン価が小さくなるにつれて、より小さな圧縮比（１０−１５、又は７−２２の範囲）とより低い機械強度が必要となり、また、より軽くて扱いやすい構造とより穏やかでスムーズな動作をもたらす。一般に、圧縮点火低オクタン価ガソリンエンジンの圧縮比が非常に小さい場合でさえ、火花点火ガソリンエンジンの圧縮比よりもずっと高い。それゆえ、圧縮点火低オクタン価ガソリンエンジンは高い熱効率をもち、排出に起因する温室効果が少ない。
【００１６】
低オクタン価ガソリンは、短い炭素鎖をもち、燃えやすい。それゆえ、低オクタン価ガソリンの排気ガスには、黒い粒状の不純物（黒煙）がほとんどない。圧縮比１８の低オクタン価ガソリンエンジンに低オクタン価ガソリンを適用した場合、排気ガスには黒煙がほとんどないことが試験で立証されている。
【００１７】
異なるオクタン価をもつ低オクタン価ガソリンの対応する最小の圧縮比は、当業者に知られている公知の実験方法（オクタン価の測定方法）を用いて求めることができる。
【００１８】
５．表１は、いくつかの炭化水素のオクタン価及び沸点を示す。
【００１９】
【表１】
2014500351.tif 000002
2014500351.tif 000003
【００２０】
６．石油の精製
原油は黒い液体で石油として知られている。この液体には、脂肪族炭化水素、又は水素と炭素のみからなる炭化水素が含まれ、炭素原子は結合しあって、各種長さの炭素鎖を形成している。
【００２１】
現在のところ、石油精製の工程には、常圧蒸留、減圧蒸留、水素化分解、接触分解、重質油分解などが含まれ、石油の軽質成分（軽油）が蒸留され、重質成分（長鎖アルカン及び長鎖不飽和炭化水素）は最初に軽質成分に変換され、次いで蒸留される。軽質成分の蒸留において、ガソリン、航空用ガソリン（航空用ケロシン）、ケロシン及びディーゼルは、軽油の各成分の異なる凝縮点、又は実際には異なる沸点に基づき異なる段階で抽出される。化学生産物のための原料、すなわち、ナフサとしても知られる“化学軽油”についても、軽油の異なる機能に応じて、ある凝縮点の範囲内で抽出することができる。
【００２２】
ガソリンのオクタン価を改善するために、石油の精製工程は、さらにリフォーミング、接触分解などを含み、低いオクタン価の直鎖パラフィンは高いオクタン価のアロマティクスに変換される。これらの工程で得られた軽油は、また、蒸留又は精留の工程を通じて処理する必要があり、そこでガソリン、ケロシン及びディーゼルはそれぞれ異なる凝縮点に基づき異なる段階で抽出される。
【発明の概要】
【発明が解決しようとする課題】
【００２３】
７．画期的な本発明の方法
従来技術における蒸留工程においては、ガソリン、ケロシン、ディーゼルなどは、異なる凝縮温度の範囲内の対応する成分を抽出することにより産生される。一般に、１つの留分は１つの生産物に対応する。しかしながら、本発明では、異なる成分はそれぞれ、軽油の各成分のオクタン価に基づき“固定点抽出”により抽出される。１つの成分は１つの留分の抽出点に対応するという原理に応じて、異なる構造の成分は別々に抽出される。その後、低オクタン価の成分を組み合わせて、低オクタン価ガソリンを調製し、高オクタン価の成分を組み合わせて、高オクタン価ガソリンを調製する。この方法は産業界で使用されておらず、現在まで、いかなる研究報告もされていない。
【課題を解決するための手段】
【００２４】
Ｉ．技術手段
石油の精留又は軽油（例えば、ナフサ、改質油、接触（水素化）分解により生じる油、熱分解油又は芳香族ラフィネート油）の常圧蒸留又は減圧蒸留の工程において、蒸留物の抽出点は、留分の温度範囲が狭くなるように細かく分けられている。Ｃ６−Ｃ１２の含有量が高い低オクタン価ガソリンと高オクタン価ガソリンの各成分は含有量の順に別々に抽出される。その後、低オクタン価の成分を組み合わせて、低オクタン価ガソリン生産物を調製し、高オクタン価の成分を組み合わせて、高オクタン価ガソリン生産物を調製する。Ｃ６−Ｃ１２の残りの留分はオクタン価に基づいて低オクタン価ガソリン又は高オクタン価ガソリンに補足物質として添加される。“高含有量の成分”とは、最大量から最低量の含有量の順で最初の３０成分又は石油の９０％を占める成分である。
【００２５】
これに代えて、Ｃ５−Ｃ１２の成分を別々に抽出して、これら成分のオクタン価及び目的産物のオクタン価に基づき低オクタン価ガソリン生産物又は高オクタン価ガソリン生産物を調製する。低オクタン価ガソリン生産物及び高オクタン価ガソリン生産物はそれぞれ圧縮ガソリンエンジン及び火花点火ガソリンエンジンの燃料として使用される。
【００２６】
主要ではない成分又は別々に抽出されない留分は、それらのオクタン価に基づき低オクタン価ガソリン生産物及び高オクタン価ガソリン生産物に添加される。ガソリン成分として使用するのが不適当な成分又は留分、例えば、オレフィン、アルキン、ベンゼンは、他の機能を果たす。
【００２７】
低オクタン価ガソリンのオクタン価が十分に低くない場合、１２より多い炭素原子の長い炭素鎖の低オクタン価留分を添加して、そのオクタン価を下げることができる。１２又は１３より多い炭素原子をもつパラフィンのオクタン価は、直鎖のパラフィンでないときでも比較的低い。それゆえ、長鎖のパラフィンを添加してガソリンのオクタン価を減らすことは有効な手段である。
【００２８】
沸点が互いに近く、したがって、精留によって単純には分離できない成分（例えば、ｎ―ヘプタン及びイソオクタン）に関しては、最初精留によって混合物として一緒に抽出し、次いで、さらに他の手段により相互に分離することができる。
【００２９】
明らかに、低オクタン価ガソリン及び高オクタン価ガソリンに添加される成分の沸点は区別される。従来技術の精留工程において、ディーゼル、ケロシン、航空用ケロシン及びガソリンは、それらの温度の大きい順に連続的に抽出され、各生産物（留分）の沸点温度は連続している。
【００３０】
ペンタンの沸点は３６℃であり、そのオクタン価は６１である。ペンタンは、通常、ガソリン（高オクタン価ガソリン）の成分とはならない。しかしながら、温度が低い場合（例えば、冬又は温度が１５℃を下回る温度の環境）、低オクタン価ガソリンの成分として、ペンタンを新たなガソリン燃料の成分として低オクタン価ガソリンに添加することができる。また、ヘキサンは低オクタン価ガソリンを作製するために原料として使用することができる。
【００３１】
ＩＩ．解決される技術的問題点：
１．ガソリン成分を細かく分離し、別々に取り出して選択する問題が解決される。
２．高エネルギー消費、高いコスト及び高オクタン価ガソリン（ガソリン＃９０又はそれより大きいオクタン価を有するもの）を製造する資源の欠乏の問題が現在解決される。
３．低オクタン価ガソリンのオクタン価が十分に低くないという問題が解決される。
４．ｎ―ヘプタンとイソオクタンの分離に関する技術的問題が解決される。
５．ペンタン又はヘキサンが、オクタン価が低すぎるためガソリン燃料として使用できないという問題が解決される。
【００３２】
ＩＩＩ．もたらされる効果：
１．低オクタン価ガソリンを低コストで得ることができ、効率的で、環境に優しい低コスト燃料を、低排出の圧縮低オクタン価ガソリンエンジンに供給することができる。
【００３３】
ガソリンの低オクタン価成分はガソリン製造者にとって、障害物であり、負担であった。しかしながら、低オクタン価ガソリンは低コストで、クリーンで、環境に優しく、内燃機関にとって高品質の燃料であるため、現在では貴重なものである。
【００３４】
２．低コストの低オクタン価ガソリンだけでなく、低コストの高オクタン価ガソリンも得られる。ガソリンの製造工程は簡略化され、ガソリンの製造のための原料が得られやすくなる。また、生産構造はより簡単でコストはより低くなる。
【００３５】
極めて長い間、ガソリンの製造者は、リフォーミング、接触分解などの、ガソリン生産物の製造におけるコスト及びエネルギー消費を増大させる工程により、ガソリンのオクタン価を改良しようとしている。ガソリンのオクタン価を改良するため、ＭＢＴＥ、ＭＭＴなどのようなアンチノック剤さえもガソリンに添加され、このことはガソリン生産物の環境への優しさを低下させ、ガソリンの有害成分及びその燃焼排ガスを増大させる。
【００３６】
３．従来技術と比較すると、本発明は、原油の各留分の成分を分離するだけで高オクタン価ガソリン及び低オクタン価ガソリンを得ることができる。成分は１つのものから他のものに変換する必要がなく、本発明は比較的自然で、シンプルで、低コストで、環境に優しい方法を提供する。
【発明を実施するための形態】
【００３７】
Ｉ．一般的な態様
１．処理（蒸留）すべき原料（石油又は軽油）の成分を最初に分析、試験し、次いで、蒸留の工程において沸点（表１に示す。）に応じて原料からそれぞれ（別々に）抽出する。次いで、該成分は、目的物のオクタン価及びオクタン指数に基づいて種々のやり方で組み合わされ（混合される）、低オクタン価ガソリン生産物及び高オクタン価ガソリン生産物がそれぞれ得られる。例えば、ジメチルベンゼン、イソオクタン、エチルベンゼン、１−ヘキセンなどはガソリン９７＃、ガソリン９３＃又は他の高オクタン価ガソリンを調製するために使用され、ｎ―ウンデカン、ｎ―デカン、ノナン、ｎ―オクタン、ｎ―ヘプタン、ｎ―ヘキサン、１−オクテン、エチルシクロヘキサンなどはガソリン３５＃、ガソリン０＃又は他の低オクタン価ガソリンを調製するために使用され、また、シクロヘキサン、４−オクテン、１，１−ジメチルシクロヘキサンなどは、要求されたとおりに又は許容されたように、高オクタン価又は低オクタン価ガソリンに添加することができる。
【００３８】
固定点抽出方法：蒸留のための原料の１０個の主要成分は固定点抽出により抽出されることになる。１０個の小型蒸留塔は主要蒸留塔の外部に吊り下げることができ、１０個の小型蒸留塔の上端の温度は対応する前記成分の沸点に制御される。該１０個の成分の蒸留物以外の他の蒸留物は主要塔に還流し、主要塔の他の留出口から留出される。
【００３９】
２．Ｃ１２―Ｃ１４（又はＣ１２―Ｃ１４アルケンのような長鎖アルケン）の成分は要求されたとおりに、低オクタン価ガソリンに添加することができる。この場合、低オクタン価ガソリンの他の成分のオクタン価を適当に上げることができる。例えば、エチルシクロヘキサン、ペンタン、１，１−ジメチルシクロヘキサン、４−オクテン及びシクロヘキサンは全て低オクタン価ガソリンの成分となることができる。
【００４０】
３．表１に掲載されていない成分はそれぞれ該成分のオクタン価に応じて高オクタン価ガソリン又は低オクタン価ガソリンに配分、添加される。
【００４１】
４．ｎ―ヘプタン及びイソオクタンの分離：
ｎ―ヘプタンの沸点（９８．５℃）及びイソオクタンの沸点（９９．２℃）は、おおよそ相互に近似しているため、常圧蒸留又は減圧蒸留では分離が困難である。本発明においては、これらの２つの成分は、最初に同時に抽出され（例えば、９２−１０５℃の範囲の常圧蒸留の留分により）、次いでガス吸着又は共沸蒸留で分離される。その後、ｎ―ヘプタンは低オクタン価ガソリンの調製に使用され、イソオクタンは高オクタン価ガソリンの調製に使用される。
【００４２】
工業生産においては、５Ａモレキュラーシーブがｎ―ヘプタンのような直鎖パラフィンの吸着材として採用される。蒸気は通常脱着剤として使用され、ｎ―ヘプタンはイソオクタンから抽出、分離することができる。
【００４３】
現在では、石油精製産業において、ｎ―ヘプタンとイソオクタンを互いに分離する方法は知られていない。それゆえ、上述した分離技術は、本発明の技術革新の１つである。
【００４４】
ｎ―ヘプタンとイソオクタンの分離を通じて、オクタン価１００の高オクタン価成分とオクタン価０の低オクタン価成分が同時に得られるであろう。このことは、本発明に係る低オクタン価ガソリンと高オクタン価ガソリンとの併産に対して多大に寄与する。
【００４５】
ＩＩ．簡略化された態様
１．軽油から“固定点抽出”（分離抽出）の工程の複雑さを減らすため、実際の状況に応じて、いくつかの抽出点を省略することができる。蒸留留分の抽出点を減らすことができる。例えば、“高含有量”の成分の数を３０から２８、２４、２０などに減らすことができる。
【００４６】
２．“別々に”抽出した留分以外の残りの留分は、それぞれオクタン価の近接原理に則った抽出温度の順の点において２つの隣接する成分のいずれかとともに抽出することができる。
【００４７】
例えば、Ｃ７−Ｃ１１の範囲の全ての成分の中で、成分の含有量番号が３１であるとすると、そのオクタン価は３４．７であり、その沸点は１２１．３℃である。その高温隣接留分の抽出点とオクタン価はそれぞれ１３１．８℃、４４であり、低温隣接留分の抽出点とオクタン価はそれぞれ１１９．５℃、６２である。この場合、この成分は抽出点が１３１．８℃の留分とともに抽出されるであろう。なぜなら、それらのオクタン価（それぞれ３４．７、４４）は互いに９．３離れているが、これは３４．７と６２（すなわち、２７．３）の間の距離よりも小さいからである。
【００４８】
３．ジメチルベンゼンは３つの異性体を含み、それらの沸点及びオクタン価は互いに接近している。それらは１つの留分として抽出することができ、高オクタン価ガソリンの１つの混合成分となる。
【００４９】
４．ジメチルベンゼンとエチルベンゼンは、１つの留分として抽出することができ、高オクタン価ガソリンの１つの成分となる。
【００５０】
５．メチルベンゼン、ジメチルベンゼン及びエチルベンゼンは、１つの留分として抽出することができ、高オクタン価ガソリンの１つの成分となる。
【００５１】
６．留分抽出点は、石油又は軽油の蒸留塔に小さな間隔で均一に設けられる。例えば、留分抽出口を１℃（又は２℃、０．５℃又は他の温度）の間隔で設ける。軽油の組成又は各留分のオクタン価を試験（分析）し、該留分を、低オクタン価ガソリン又は高オクタン価ガソリンの調製又はそのオクタン価に応じて他の機能を果たすために使用する。複雑な組成の留分（例えば、ｎ―ヘプタンとイソオクタンの混合留分）について、第２の分離を行うのに必要な他の方法を実施することができる。上述した方法は、一見すると満足行くものではなく、また、複雑な蒸留装置を必要とするように見えるが、簡単な製造組織を要し、各種の原料源に良好な適応性をもつ点で優れている。
【００５２】
小数点以下を含む明確な沸点をもつ成分に対しては（例えば、１，１−ジメチルシクロヘキサンの沸点は１１９．５℃であり、ｎ―オクタンの沸点は１２６．７℃である。）、小数点以下１桁まで計算された温度位置での留分抽出点を蒸留塔に設ける（留分採取点はそれぞれ１１９．５℃及び１２６．７℃の温度位置に設ける。）。
【００５３】
経験を積むにつれて、大部分の留分はパイプラインを通じて直接低オクタン価ガソリンタンク又は高オクタン価ガソリンタンクに送ることができる。
【００５４】
７．精留抽出（固定点抽出）の工程後の残りの部分に関しては、留分の沸点に基づいて２つの部分に分けることができる。通例、高温の留分は低オクタン価ガソリンの構成要素となり、低温の留分は高オクタン価ガソリンの構成要素となるが、しかしながら、これは経験的なアプローチにすぎない。留分又はどれくらいの量の留分が、対応するオクタン価をもつガソリンの構成要素になるかは、実際に必要とされたオクタン価の試験結果に応じて決定すべきである。
【００５５】
ＩＩＩ．補足説明
１．本発明を用いて高オクタン価ガソリンを製造する場合、アンチノック剤を最大限度にまで添加することはできない。一般に、アンチノック剤をガソリンに添加することは、経済的ではなく、環境にも優しくない。
【００５６】
２．本明細書においては、高オクタン価ガソリンと低オクタン価ガソリンを製造する技術的手段のみを提示している。ガソリン生産物の関連成分に関して、安全性又は環境保護の問題を扱う場合は、地方自治体のガソリン生産物標準を守るべきである。
【００５７】
３．異なるオクタン価の留分を添加して異なるグレードのガソリンを調製するのに創造性を要する作業は含まれていない。
【００５８】
４．本発明はエタノール又はＭＢＥＴ、ＭＭＴなどのアンチノック剤を高オクタン価ガソリンに添加することを排除しない。オクタン標準が測定されるという条件下で、混合燃料とするため、低オクタン価ガソリンはエタノールと混合することができる。
【００５９】
５．本明細書中で述べた“固定点抽出”又は“分離抽出”のような精留抽出において、抽出された成分は純粋であるとは限らない。しかしながら、本方法は目的成分の大部分が抽出される点で成功であり、実際に抽出された成分の中で、目的成分が大部分を占める。抽出技術、例えば、塔プレートの理論上の増加及び精留抽出物の沸点範囲が一層絞られること、が向上するにつれて、各抽出成分中の本方法（固定点抽出又は分離抽出）で得られる目的成分の含有量（濃度）はますます高くなる。
【００６０】
６．ｎ―ヘプタンとイソオクタンを分離するために、圧力を減少させることができ、あるいは、理論上の塔プレートを増加させることができる。
【００６１】
７．ｎ―ヘプタンとイソオクタンを分離するために、液体吸着法が採用される。液体吸着法は頻繁に使用される工業生産方法であり、例えば、パラキシレン（ＰＸ）は主にこの方法によりジメチルベンゼンの混合物から抽出される。吸着材の設計及び製造は専門技術の分野に属し、ｎ―ヘプタンとイソオクタンの分離に必要とされる吸着材は簡単に手に入れることができる。本方法に従った吸着材は、ｎ―ヘプタン又はイソオクタンを確実に吸着することができる。吸着材に関する技術自体は、本発明の請求項には含まれていない。
【国際調査報告】
2014500351.tif 000004
2014500351.tif 000005
2014500351.tif 000006
2014500351.tif 000007
2014500351.tif 000008
2014500351.tif 000009